(57)【要約】【課題】簡単な構成により、既存の鍵盤楽器に取り付けることが可能である。【解決手段】楽器本体のセンターレールを利用して複数のポールと複数のリンク機構とでハンマーシャンクストップレールを支持し、ハンマーシャンクストップレールを付勢手段の付勢力に抗してハンマーシャンクの作動範囲に進入させる。また、既存の鍵盤楽器のハンマーシャンクの高さに応じてハンマーシャンクストップレールの取付位置を容易に変更することができ、かつ既存の鍵盤楽器の弦やスクションの位置に応じて干渉しないように、リンク機構やハンマーシャンクストップレールの取付位置を容易に変更することができる。【選択図】図１
2008304949.tif 000002
【特許請求の範囲】
【請求項１】
鍵盤の押鍵に伴って作動するハンマーシャンクを有するハンマーが弦を打弦する通常演奏と、前記ハンマーシャンクの作動範囲に進退自在のハンマーシャンクストップレールを前記作動範囲内に進入させることにより、前記ハンマーの打弦を阻止する消音演奏とに切り替えて演奏可能な鍵盤楽器の消音装置において、
楽器本体のセンターレールに取り付けられる複数のポールと、
前記それぞれのポールに取り付けられる支持側リンク部と、前記ハンマーシャンクストップレールに取り付けられる作動側リンク部と、前記支持側リンク部と前記作動側リンク部とを回動可能に支持する支持軸とからなる複数のリンク機構と、
前記複数のうち少なくとも１つのリンク機構の操作側リンク部に取り付けられて前記ハンマーシャンクストップレールを前記ハンマーシャンクの作動範囲から退避させる付勢手段と、
前記複数のうち少なくとも１つのリンク機構の操作側リンク部に取り付けられ、前記ハンマーシャンクストップレールを前記付勢手段の付勢力に抗して前記ハンマーシャンクの作動範囲に進入させる操作手段とを備え、
前記複数のポールにポール軸方向の異なる位置に複数の取付孔を形成し、前記支持側リンク部に長孔を形成し、リンク取付ビスを前記支持側リンク部の取付孔から挿入し、前記ポールの複数の取付孔から選択して１個の取付孔に螺着して締付固定し、前記ハンマーシャンクストップレールはポール軸方向の取付位置が変化可能であり、
前記ハンマーシャンクストップレールのレール軸方向に複数の長孔を形成し、前記長孔にレール取付ビスを挿通して作動側リンク部に螺着して締付固定し、前記ハンマーシャンクストップレールはレール軸方向の取付位置を変化可能であることを特徴とする鍵盤楽器の消音装置。      
【請求項２】
前記付勢手段は、一端を前記作動側リンク部に係止し、他端を前記センターレールに前記ポールとともに共締めした取付部材に係止した圧縮スプリングで構成したことを特徴とする請求項１に記載の鍵盤楽器の消音装置。
【請求項３】
前記操作手段は、手動操作レバーと、一端を前記手動操作レバーに連結され、他端を前記楽器本体の下方から内部に挿入して前記作動側リンク部に係止した操作ワイヤとから構成したことを特徴とする請求項１に記載の鍵盤楽器の消音装置。
【発明の詳細な説明】
【技術分野】
【０００１】
この発明は、通常演奏と消音演奏に切り替えて演奏可能な鍵盤楽器の消音装置に関する。
【背景技術】
【０００２】
鍵盤楽器には、通常演奏と消音演奏とに切り替えて演奏するために消音装置が備えられている。通常演奏では、鍵盤の押鍵に伴ってハンマーが打弦するのに対し、消音演奏では、消音装置のハンマーシャンクストップレールをハンマーと弦との間に進入させてハンマーによる打弦を阻止した状態で、鍵盤の押鍵情報を検知手段で検知してそれに基づく電子音が生成され、ヘッドフォンに出力される（例えば、特許文献１、特許文献２）。
【特許文献１】特開平８−６３１４９号公報（第１〜第１６頁、図１〜図３）
【特許文献２】特開２００３−１５６３１号公報（第１〜第７頁、図１〜図２）
【発明の開示】
【発明が解決しようとする課題】
【０００３】
このように消音装置が提案されているが、消音装置の構造が複雑で、既存の鍵盤楽器には簡単に取り付けることができない。特に、既に販売されて使用されている既存の鍵盤楽器には大きさが異なり、あるいは構造が異なるものがあり、これらの既存の鍵盤楽器に後付けで簡単に取り付けることが可能な消音装置の提案が要望されている。
【０００４】
この発明は、このような課題を解決するためになされたものであり、簡単な構成により、既存の鍵盤楽器に後付けで取り付けることが可能な鍵盤楽器の消音装置を提供することを目的とする。
【課題を解決するための手段】
【０００５】
前記課題を解決し、かつ目的を達成するために、この発明は、以下のように構成した。
【０００６】
請求項１に記載の発明は、鍵盤の押鍵に伴って作動するハンマーシャンクを有するハンマーが弦を打弦する通常演奏と、前記ハンマーシャンクの作動範囲に進退自在のハンマーシャンクストップレールを前記作動範囲内に進入させることにより、前記ハンマーの打弦を阻止する消音演奏とに切り替えて演奏可能な鍵盤楽器の消音装置において、
楽器本体のセンターレールに取り付けられる複数のポールと、
前記それぞれのポールに取り付けられる支持側リンク部と、前記ハンマーシャンクストップレールに取り付けられる作動側リンク部と、前記支持側リンク部と前記作動側リンク部とを回動可能に支持する支持軸とからなる複数のリンク機構と、
前記複数のうち少なくとも１つのリンク機構の操作側リンク部に取り付けられて前記ハンマーシャンクストップレールを前記ハンマーシャンクの作動範囲から退避させる付勢手段と、
前記複数のうち少なくとも１つのリンク機構の操作側リンク部に取り付けられ、前記ハンマーシャンクストップレールを前記付勢手段の付勢力に抗して前記ハンマーシャンクの   作動範囲に進入させる操作手段とを備え、
前記複数のポールにポール軸方向の異なる位置に複数の取付孔を形成し、前記支持側リンク部に長孔を形成し、リンク取付ビスを前記支持側リンク部の取付孔から挿入し、前記ポールの複数の取付孔から選択して１個の取付孔に螺着して締付固定し、前記ハンマーシャンクストップレールはポール軸方向の取付位置が変化可能であり、    前記ハンマーシャンクストップレールのレール軸方向に複数の長孔を形成し、前記長孔にレール取付ビスを挿通して作動側リンク部に螺着して締付固定し、前記ハンマーシャンクストップレールはレール軸方向の取付位置を変化可能であることを特徴とする鍵盤楽器の消音装置である。
【０００７】
請求項２に記載の発明は、前記付勢手段は、一端を前記作動側リンク部に係止し、他端を前記センターレールに前記ポールとともに共締めした取付部材に係止した圧縮スプリングで構成したことを特徴とする請求項１に記載の鍵盤楽器の消音装置である。
【０００８】
請求項３に記載の発明は、前記操作手段は、手動操作レバーと、一端を前記手動操作レバーに連結され、他端を前記楽器本体の下方から内部に挿入して前記作動側リンク部に係止した操作ワイヤとから構成したことを特徴とする請求項１に記載の鍵盤楽器の消音装置である。
【発明の効果】
【０００９】
前記構成により、この発明は、以下のような効果を有する。
【００１０】
この請求項１に記載の発明によれば、楽器本体のセンターレールを利用して複数のポールと複数のリンク機構とでハンマーシャンクストップレールを支持し、ハンマーシャンクストップレールを付勢手段の付勢力に抗してハンマーシャンクの作動範囲に進入させる簡単な構成である。また、既存の鍵盤楽器のハンマーシャンクの高さに応じてハンマーシャンクストップレールの取付位置を容易に変更することができ、かつ既存の鍵盤楽器の弦やスクションの位置に応じて干渉しないように、リンク機構やハンマーシャンクストップレールの取付位置を容易に変更することができ、大きさが異なり、あるいは構造が異なる既存の鍵盤楽器に簡単かつ確実に取り付けることが可能である。
【００１１】
この請求項２に記載の発明によれば、既存の鍵盤楽器に特別の加工を施すことなく、付勢手段を簡単かつ確実に、ハンマーシャンクストップレールをハンマーシャンクの作動範囲から退避させるように取り付けることができる。
【００１２】
この請求項３に記載の発明によれば、既存の鍵盤楽器の外部から見えにくい位置に操作手段を簡単かつ確実に取り付けることができる。
【発明を実施するための最良の形態】
【００１３】
以下、この発明の好ましい実施の形態を、図面を参照しながら、詳細に説明するが、この発明は、この実施の形態に限定されない。
【００１４】
図１は消音装置を備える鍵盤楽器を示す図、図２はポール、リンク機構及びハンマーシャンクストップレールの取り付けを示す図、図３はポール、リンク機構、ハンマーシャンクストップレール、付勢手段及び操作手段の取り付けを示す図、図４はハンマーシャンクストップレール、リンク機構の取り付けを示す平面図、図５はハンマーシャンクストップレール、リンク機構の取り付けを示す正面図、図６はハンマーシャンクストップレール、リンク機構の取り付けを示す背面図、図７は図４のＶＩＩ−ＶＩＩ線に沿う断面図、図８は図４のＶＩＩＩ−ＶＩＩＩ線に沿う断面図、図９はポールを示す図である。
【００１５】
この実施の形態の鍵盤楽器１は、楽器本体２に多数の鍵盤３（１つのみ図示）及びアクション４が備えられている。なお、同図は、消音演奏時において、鍵盤３が離鍵されているときの状態を示しており、また、ダンパーなどの一部の部品は、省略して描かれている。
【００１６】
このアクション４は、鍵盤３ごとに設けられた、ウイッペン１４、ジャック１０及びハンマー５０（各１つのみ図示）などで構成されている。ウイッペン１４は、鍵盤３上にキャプスタンスクリュー１５を介して載置され、後端部がセンターレール１３に回動自在に支持されている。
【００１７】
ジャック１０は、突き上げ部１０ａと係合部１０ｂからなり、ウイッペン１４に回動自在に取り付けられている。ジャック１０の係合部１０ｂとウイッペン１４の間には、ジャックスプリング１０ｃが設けられている。
【００１８】
ハンマー５０は、バット６と、バット６から下方に延びるハンマーシャンク５と、ハンマーシャンク５から弦１８側に向かって側方に延びるハンマーウッド４と、ハンマーウッド６４の先端に取り付けられたハンマーフェルト６３によって構成されている。ハンマー５０は、バット６の部分で、センターレール１３に回動自在に取り付けられている。また、図示の離鍵状態では、バット６にジャック１０の突き上げ部１０ａの先端が係合している。そして、ハンマーシャンク５は、ハンマーレール７に斜めに当接していて、ハンマーフェルト６３は弦１８に対向した状態になっている。
【００１９】
また、この発明に係る消音装置２０は、弦１８とハンマーシャンク５の間に後付けで取り付けられ、この消音装置２０は複数のポール２１，２２と、複数のリンク機構２３，２４と、ハンマーシャンクストップレール２５と、付勢手段２６と、操作手段２７から構成される。
【００２０】
複数のポール２１，２２は、図２及び図３に示すように、支持部２１ａ，２２ａと取付部２１ｂ，２２ｂを有し、同様に形成される。この複数のポール２１，２２には、図９に示すように、支持部２１ａ，２２ａに上方位置、中央位置、下方位置の３箇所に取付孔２１ａ１，２２ａ１が形成されている。
【００２１】
複数のポール２１，２２は、アルミニウム材で形成され、楽器本体２のセンターレール１３に取り付けられる。３個のポール２１は、図４乃至図６に示すように、センターレール１３に、ハンマーシャンクストップレール２５の両端部と、中間部の位置を支持するように、弦１８やセクション（図示せず）と干渉しない位置に取り付けられる。この３個のポール２１の取り付けは、図２に示すように、ポール取付ビス３０を取付部２１ｂの取付孔２１ｂ１から挿通して取付ビス孔１３ａに螺着し、ポール２１の取付部２１ｂをセンターレール１３に締付固定する。
【００２２】
一方、１個のポール２２は、図４乃至図６に示すように、センターレール１３に、ハンマーシャンクストップレール２５の中間部の位置を支持するように、弦１８やセクション（図示せず）と干渉しない位置に取り付けられる。この１個のポール２２の取り付けは、図３に示すように、ポール取付ビス３１を取付部２２ｂの取付孔２２ｂ１から挿通して取付ビス孔１３ｂに螺着し、ポール２２の取付部２２ｂを取付部材２６ａと共にセンターレール１３に締付固定する。
【００２３】
このように、ポール２１，２２を弦１８やセクション（図示せず）と干渉しない位置にポール取付ビス３０，３１によりセンターレール１３に締付固定することで、楽器本体２に専用の取付部材を設ける必要がなく、低コストである。
【００２４】
複数のリンク機構２３，２４は、アルミニウム材で形成され、図２乃至図６に示すように、それぞれのポール２１，２２に取り付けられる支持側リンク部２３ａ，２４ａと、ハンマーシャンクストップレール２５に取り付けられる一対の作動側リンク部２３ｂ，２４ｂと、一対の支持側リンク部２３ａ，２４ａの間に作動側リンク部２３ｂ，２４ｂを位置させて回動可能に支持する支持軸２３ｃ，２４ｃとからなる。
【００２５】
３個のリンク機構２３は、図２、図４乃至図６に示すように、３個のポール２１に対応して取り付けるように構成され、リンク取付ビス３２を取付支持側リンク部２３ａの取付孔２３ａ１から挿入し、上方位置、中央位置、下方位置の３箇所から選択して１個の取付孔２１ａ１に螺着し、支持側リンク部２３ａをポール２１の支持部２１ａに締付固定する。
【００２６】
一方、１個のリンク機構２４は、図３、図４乃至図６に示すように、リンク取付ビス３３を支持側リンク部２４ａの取付孔２４ａ１から挿入し、上方位置、中央位置、下方位置の３箇所から選択して１個の取付孔２２ａ１に螺着し、支持側リンク部２４ａをポール２２の支持部２２ａに締付固定する。
【００２７】
このポール２１，２２と支持側リンク部２３ａ，２４ａとのポール軸方向の取付位置は、図４乃至図６に示すように、支持側リンク部２３ａ，２４ａに長孔２３ａ４，２４ａ４を形成し、ポール軸方向の取付位置を変化するようになっている。
【００２８】
このように、ポール２１，２２と支持側リンク部２３ａ，２４ａとは、ポール軸方向の取付位置が変化可能であり、既存の鍵盤楽器１のハンマーシャンク５の高さに応じてハンマーシャンクストップレール２５の取付位置を容易に変更することができる。
【００２９】
また、ハンマーシャンクストップレール２５は、アルミニウム材で形成され、図４乃至図６に示すように、レール軸方向に長孔２５ａが３箇所に形成され、長孔２５ｂが１箇所に形成されている。また、ハンマーシャンクストップレール２５の下側には、長孔２５ａ及び長孔２５ｂの位置を除いた位置でレールフェルト２５ｃが取り付けられている。
【００３０】
３個のリンク機構２３は、図２、図４乃至図６に示すように、作動側リンク部２３ｂにハンマーシャンクストップレール２５がレール取付ビス３４によって締付固定されるが、ハンマーシャンクストップレール２５にレール軸方向に長孔２５ａが形成されており、弦１８やセクション（図示せず）と干渉しない位置に３個のリンク機構２３を移動し、この長孔２５ａにレール取付ビス３４を挿通して作動側リンク部２３ｂの取付孔２３ｂ１に螺着する。
【００３１】
また、１個のリンク機構２４は、図３、図４乃至図６に示すように、作動側リンク部２４ｂにハンマーシャンクストップレール２５がレール取付ビス３５によって締付固定されるが、ハンマーシャンクストップレール２５にレール軸方向に長孔２５ｂが形成されており、弦１８やセクション（図示せず）と干渉しない位置に１個のリンク機構２４を移動し、この長孔２５ｂにレール取付ビス３５を挿通して作動側リンク部２４ｂの取付孔２４ｂ１に螺着する。
【００３２】
このように、作動側リンク部２３ｂ，２４ｂとハンマーシャンクストップレール２５とは、レール軸方向の取付位置を変化可能であり、既存の鍵盤楽器１の弦１８やセクション（図示せず）の位置に応じて干渉しないように、リンク機構２３，２４やハンマーシャンクストップレール２５の取付位置を容易に変更することができる。このハンマーシャンクストップレール２５は、既存の鍵盤楽器１の大きさに応じて長孔２５ｂの位置で切断し、長さを短くして、あるいはセクション（図示せず）の位置を避けるようにして取り付けることができる。
【００３３】
また、付勢手段２６は、図１及び図３、図４乃至図６に示すように、１個のリンク機構２４の位置に配置されている。このリンク機構２４には、一対の作動側リンク部２４ｂを連結するように支持プレート２４ｅが形成され、この支持プレート２４ｅには係止孔２４ｅ１が複数形成されている。
【００３４】
この付勢手段２６は、センターレール１３にポール２２とともに共締めした取付部材２６ａと、一端２６ｂ１を作動側リンク部２４ｂの支持プレート２４ｅに形成された係止孔２４ｅ１に係止し、他端２６ｂ２を取付部材２６ａに係止した圧縮スプリング２６ｂとで構成している。
【００３５】
この付勢手段２６は、リンク機構２４の作動側リンク部２４ｂに取り付けられてハンマーシャンクストップレール２５をハンマーシャンク５の作動範囲から退避させるように付勢している。この実施の形態では、既存の鍵盤楽器１に特別の加工を施すことなく、付勢手段２６を簡単かつ確実に、ハンマーシャンクストップレール２５をハンマーシャンク５の作動範囲から退避させるように取り付けることができる。
【００３６】
操作手段２７は、図１及び図３に示すように、手動操作レバー２７ａと、調整リンク２７ｂと、操作ワイヤ２７ｃとから構成される。手動操作レバー２７ａは、鍵盤楽器１の下側に取り付けられる。この手動操作レバー２７ａには、操作ワイヤ２７ｃの一端２７ｃ１が調整リンク２７ｂを介して連結され、操作ワイヤ２７ｃの他端２７ｃ２は楽器本体２の下方から棚板４０に形成された取付孔４０ａから内部に挿入して作動側リンク部２４ｂの係合部２４ｂ２に係止される。係合部２４ｂ２には、係合溝２４ｂ３が形成され、この係合溝２４ｂ３で操作ワイヤ２７ｃの他端２７ｃ２が外れないようにしている。
【００３７】
調整リンク２７ｂによって操作ワイヤ２７ｃの長さを変化させて張り具合が調整される。このように操作手段２７は既存の鍵盤楽器１の外部から見えにくい位置に簡単かつ確実に取り付けることができる。
【００３８】
この実施の形態の鍵盤楽器１の消音装置２０は、センサ部８０に接続した消音ボックス８１が取り付けられ、この消音ボックス８１の近傍に手動操作レバー２７ａが取り付けられる。
【００３９】
操作手段２７を操作しない時には、付勢手段２６によってリンク機構２４が作動せず、ハンマーシャンクストップレール２５が図１の実線で示す位置にある。従って、鍵盤３の押鍵に伴って作動するハンマーシャンク５を有するハンマー５０が弦１８を打弦する通常演奏では、ハンマーシャンクストップレール２５がハンマーシャンク５の作動範囲から退避している。
【００４０】
操作手段２７を操作すると、リンク機構２４が操作ワイヤ２７ｃによって、図１に示すように矢印方向Ａに引かれ、これによりリンク機構２４の作動側リンク部２４ｂ及びリンク機構２３の作動側リンク部２３ｂがポール２２，２１に対して矢印方向Ｂに回動する。この作動側リンク部２４ｂ，２３ｂの回動でハンマーシャンクストップレール２５が実線の位置から二点鎖線の位置に移動し、ハンマーシャンク５の作動範囲内にハンマーシャンクストップレール２５が進入する。このハンマーシャンクストップレール２５のレールフェルト２５ｃにハンマーシャンク５が当接し、ハンマー５０の打弦を阻止する消音演奏に切り替えることができる。
【産業上の利用可能性】
【００４１】
この発明は、通常演奏と消音演奏に切り替えて演奏可能な鍵盤楽器の消音装置に適用可能であり、簡単な構成により、既存の鍵盤楽器に後付けで取り付けることが可能である。
【図面の簡単な説明】
【００４２】
【図１】消音装置を備える鍵盤楽器を示す図である。
【図２】ポール、リンク機構及びハンマーシャンクストップレールの取り付けを示す図である。
【図３】ポール、リンク機構、ハンマーシャンクストップレール、付勢手段及び操作手段の取り付けを示す図である。
【図４】ハンマーシャンクストップレール、リンク機構の取り付けを示す平面図である。
【図５】ハンマーシャンクストップレール、リンク機構の取り付けを示す正面図である。
【図６】ハンマーシャンクストップレール、リンク機構の取り付けを示す背面図である。
【図７】図４のＶＩＩ−ＶＩＩ線に沿う断面図である。
【図８】図４のＶＩＩＩ−ＶＩＩＩ線に沿う断面図である。
【図９】ポールを示す図である。
【符号の説明】
【００４３】
１  鍵盤楽器
２  楽器本体
５  ハンマーシャンク
１３  センターレール
２０  消音装置
２１，２２  ポール
２３，２４  リンク機構
２３ａ，２４ａ  支持側リンク部
２３ｂ，２４ｂ  作動側リンク部
２３ｃ，２４ｃ  支持軸
２５  ハンマーシャンクストップレール
２６  付勢手段
２７  操作手段
【図１】
2008304949.tif 000003
【図２】
2008304949.tif 000004
【図３】
2008304949.tif 000005
【図４】
2008304949.tif 000006
【図５】
2008304949.tif 000007
【図６】
2008304949.tif 000008
【図７】
2008304949.tif 000009
【図８】
2008304949.tif 000010
【図９】
2008304949.tif 000011